(57)【特許請求の範囲】
【請求項１】
開口を有する外容器と、この外容器の開口から挿入して当該外容器との相互間に粒状品の収納空間を形成する内容器とを備え、
この内容器は、前記外容器の内側に保持される内容器本体と、この内容器本体に対して引き出し可能なスライダとからなり、
このスライダは、前記内容器本体に伸縮可能な連結部を介して一体に繋がるスライダ本体と、このスライダ本体にヒンジを介して一体に繋がりその折り曲げにより当該スライダ本体に合さるカバーとからなり、
このカバーに、前記スライダを前記外容器から引き出したときに前記粒状品を取り出す貫通孔を形成したことを特徴とする、携帯ケース。
【請求項２】
前記スライダ本体は、前記外容器に形成したスリットに沿って当該スライダを出し入れさせる操作片を一体に形成してなる、請求項１に記載の、携帯ケース。
【発明の詳細な説明】
【技術分野】
【０００１】
本発明は、開口を有する外容器と、この外容器の開口から挿入して当該外容器との相互間に粒状品の収納空間を形成する内容器とを備え、医薬品、栄養補助食品、嗜好品等の粒状品の持ち運びに用いられる携帯ケースに関するものである。
【背景技術】
【０００２】
外容器から内容器を引き出して、タブレット等の粒状品を取り出す従来の携帯ケースには、内容器に複数の凹部を設けることにより、内容器を引き出したとき、これらの凹部にそれぞれ粒状品が載せ置かれた状態で粒状品を取り出すことができるものがある（例えば、特許文献1参照。）。
【特許文献１】特開2004-217310号公報
【発明の開示】
【発明が解決しようとする課題】
【０００３】
しかしながら、こうした従来の携帯ケースは、内容器全体を外容器から引き出さなければならないため、ケース内容量を大きくした場合、内容器を引き出し難くなることが考えられる。
【０００４】
これに対し、本願発明者は、内容器を2つのパーツに分け、その一方のパーツのみを外容器から引き出すことに思い至ったが、内容器を2パーツとした場合には、部品点数が増えるため、コスト性や生産性に改善の余地が生じる場合が考えられる。
【０００５】
更に、上記従来の携帯ケースは、外容器から内容器を引き出したとき、粒状品を収容する部分全体が剥き出しになってしまうため、内容器を引き出したままでの取り扱いが不便であるが、カバーを別体に設けると、部品点数が増えるため、コスト性や生産性に改善の余地が生じる場合が考えられる。
【０００６】
本発明の解決すべき課題は、部品点数を増加させることなく、携帯ケースの使い勝手を向上させることにある。
【課題を解決するための手段】
【０００７】
本発明は、開口を有する外容器と、この外容器の開口から挿入して当該外容器との相互間に粒状品の収納空間を形成する内容器とを備え、この内容器は、前記外容器の内側に保持される内容器本体と、この内容器本体に対して引き出し可能なスライダとからなり、このスライダは、前記内容器本体に伸縮可能な連結部を介して一体に繋がるスライダ本体と、このスライダ本体にヒンジを介して一体に繋がりその折り曲げにより当該スライダ本体に合さるカバーとからなり、このカバーに、前記スライダを前記外容器から引き出したときに前記粒状品を取り出す貫通孔を形成したことを特徴とするものである。
【０００８】
また本発明において、前記スライダ本体は、前記外容器に形成したスリットに沿って当該スライダを出し入れさせる操作片を一体に形成してなることが好ましい。
【発明の効果】
【０００９】
本発明は、その内容器を、外容器に保持される内容器本体と、外容器から引き出し可能なスライダとに分けたから、ケース内容量を増やしても、粒状品を容易に取り出すことができる。
【００１０】
しかも、上記スライダは、内容器本体に伸縮可能な連結部を介して一体に繋がるスライダ本体と、このスライダ本体にヒンジを介して一体に繋がりその折り曲げにより前記スライダ本体に合さるカバーとからなるから、内容器を2つに分けると共にカバーを設けても、内容器自体は1つのパーツで済み、部品点数は増加しない。
【００１１】
更に、本発明によれば、スライダを外容器から引き出しても貫通孔以外の部分はスライダ本体に対して折り曲げたカバーに覆われて外界に剥き出しになることがないため、スライダを引き出したままでのケースの取り扱いが容易になり、使い勝手がよい。
【発明を実施するための最良の形態】
【００１２】
以下、図面を参照して、本発明に従う携帯ケースの一形態を詳細に説明する。
【００１３】
図1は、本発明に従う携帯ケースの組み立て前を示す分解斜視図であり、図2,3はそれぞれ、外容器にスライダを収納した状態の携帯ケースを一部断面で示す上面図及び、外容器からスライダを引き出した状態の携帯ケースを一部断面で示す上面図である。更に、図4(a),(b)はそれぞれ、本形態に係るスライダをその引き出し側から示す斜視図及びその背面図である。
【００１４】
図1において、符号10は、その外観形状が長方体の三次元形状としてなる合成樹脂製の外容器である。この外容器10は、外装体として機能し、その前壁に開口11を有すると共に、その側壁の一方には、開口11に繋がり当該側壁に沿って延在するスリット12が形成されている。
【００１５】
符号20は、外容器10の開口11から挿入して当該外容器10との相互間に粒状品（以下、「タブレット」と記載する。）の収納空間Ｒ（図2,3参照。）を形成する内容器である。この内容器20は、中皿体として機能し、外容器10の内側に固定保持され、中皿本体として機能する内容器本体21と、この内容器本体21と後述の連結部25を介して一体に繋がり内容器本体21と共に内容器20の一部を成すスライダ23とからなる。外容器10内に内容器本体21を固定する手段としては、例えば、外容器10の内側と、内容器本体21の外側とにそれぞれ凹凸等を設け、これら凹凸等を互いに嵌合させるものや圧入嵌合等が挙げられる。
【００１６】
スライダ23は、外容器10の内側底面13に沿ってスライド可能なスライダ本体24を有する。このスライダ本体24は、内容器本体21の切り欠き部分21aに合さる四角形形状の底壁24bと、この底壁24bの縁部から立設され、内容器本体21側の背面を除く3方を包囲する1つの前壁24f及び2つの側壁24sからなる。
【００１７】
スライダ本体24はまた、その底壁24bが伸縮可能な連結部25を介して内容器本体21と一体に繋がる。この連結部25は、底壁24bと内容器本体21とを一体に繋ぐ2つのヒンジアーム25aからなる。これにより、スライダ本体24の最大スライド量は、連結部25の最大伸張を限界とする規制を受ける。
【００１８】
加えてスライダ本体24には、前壁24fの上端縁にヒンジ26を介してカバー27が一体に繋がる。このカバー27は、ヒンジ26を起点としてスライダ本体24の上方に折り曲げることができ、スライダ23を外容器10から引き出したとき、取出し領域R2を外界に開放してタブレットを取り出す円形の貫通孔29が形成されている。また、スライダ本体24の側壁24sの上端縁内側には、図4(b)に示すように、折り曲げたカバー27を嵌合保持する段差部Sが一体に形成されている。これにより、ヒンジ26を起点としてカバー27をスライダ本体24の上方から折り曲げれば、カバー27及びスライダ本体24の相互間に、図4(b)に示すように、収納空間R1に繋がるタブレットの取出し領域R2を形成する立方体形状のスライダ23が形成される。
【００１９】
更にスライダ本体24は、内容器本体21との相互間に破断可能な図示せぬ連結部を有し、この連結部を介して内容器本体21と一体に繋がる。これにより、内容器20は、携帯ケースとして組み付けられる前は、図1に示すような形状のまま、1つのパーツとして流通できる。なお、上記連結部は、スライド本体24と内容器本体21との相互間に間欠配置された連結片やスライド本体24と内容器本体21との相互間に連続して形成された薄肉部等にすることができる。また、上記連結部を破断させてスライダ本体24をフリーな状態にさせるタイミングは、連結部の形状やその厚み等を調整することにより、携帯ケースの組み立て段階又は消費者の使用段階と適宜設定することができる。
【００２０】
スライダ23は、スライダ本体の側壁24sを直接指で押しながらスライドさせることも可能であるが、本形態では、側壁24sの一方に、外容器10に形成したスリット12に沿って当該スライダ23を出し入れさせる操作片28を一体に形成してなる。外容器10の開口11近傍には、スリット12の内側に向かって伸び、操作片28と側壁24sとを一体に繋ぐ基部28aに当接して操作片28の抜け止めをする突状の抜け止め部12fが設けられている。なお、スライダ23の抜け止めは、連結部25の最大伸張量を調整することでも可能であり、その場合、抜け止め部12fは必須となるものではない。
【００２１】
また、外容器10の開口11と対向するスリット12の終端近傍Ａ（図1参照。）には、操作片28の基部28aを着脱可能に係止するロック手段が設けられている。ロック手段としては、例えば、抜け止め部12fと同様の突状をし基部28aが乗り越え可能な突状部や、スリット12の幅をその終端に向かうに従って狭くして、操作片28の基部28aを着脱可能に挟持させるもの等が挙げられる。
【００２２】
即ち、本発明に従う携帯ケースは、外容器10と、スライダ23及び操作片28を一体に備える内容器20との2パーツとからなり、外容器10のスライダ23側を下向きに傾けて収納空間R1内のタブレットを取出し領域R2に送った後、操作片28を押してスライダ23を図2の状態から矢印方向に引き出して図3の状態にすれば、貫通孔29を通してタブレットを取り出すことができ、タブレットを取り出した後は、操作片28を引いてスライダ23を図3の状態から矢印方向に引き戻して図2の状態にすることにより、タブレットをケース内に保持したまま携帯することができる。
【００２３】
上述の如く、本発明に従う携帯ケースは、その内容器20を、外容器10に保持される内容器本体21と、外容器10から引き出し可能なスライダ23とに分けたから、ケース内容量を増やしても、適量のタブレットを容易に取り出すことができる。
【００２４】
しかも、スライダ23は、内容器本体21に伸縮可能な連結部25を介して一体に繋がるスライダ本体24と、このスライダ本体24にヒンジ26を介して一体に繋がりその折り曲げによりスライダ本体24に合さるカバー27とからなるから、内容器20自体は1つのパーツで済み、部品点数は増加しない。
【００２５】
更に、本発明に従う携帯ケースによれば、スライダ23を外容器10から引き出しても貫通孔29以外の部分はスライダ本体24に対して折り曲げたカバー27に覆われて外界に剥き出しになることがないため、スライダ23を引き出したままでのケースの取り扱いが容易になり、使い勝手がよい。
【００２６】
特に、上述した携帯ケースは、スライダ23と一体に操作片28を設けたことにより、部品点数を増加させることなく、スライダ23を出し入れする操作が容易になり、更に使い勝手がよい。
【００２７】
上述したところは、本発明の好適な形態を示したものであるが、特許請求の範囲内において種々の変更を加えることができる。例えば、貫通孔29の形状は円形に限ることなく、粒状品の形状に合せて適宜変更することができる。
【産業上の利用可能性】
【００２８】
医薬品、栄養補助食品、嗜好品等の粒状品の持ち運びに用いられる携帯ケースに採用することができる。
【図面の簡単な説明】
【００２９】
【図１】本発明に従う携帯ケースの組み立て前を示す分解斜視図である。
【図２】同形態において、外容器からスライダを引き出した状態の携帯ケースを一部断面で示す上面図である。
【図３】同形態において、開封後の状態を一部断面で示す上面図である。開封後の状態を一部断面で示す側面図である。
【図４】(a),(b)はそれぞれ、同形態において、本形態に係るスライダをその引き出し側から示す斜視図及びその背面図である。
【符号の説明】
【００３０】
10    外容器（外装体）
11    開口
12    スリット
13    内側底面
20    内容器（中皿体）
21    内容器本体（中皿本体）
23    スライダ
24    スライダ本体
25    連結部
26    ヒンジ
27    カバー
28    操作片
29    貫通孔
【図１】
0004778842.tif 000002
【図２】
0004778842.tif 000003
【図３】
0004778842.tif 000004
【図４】
0004778842.tif 000005